(57)【特許請求の範囲】
【請求項１】
オーガロッドの外周に該ロッドから外方に張り出す湾曲押圧面を側面としたコテ部を掘削回転方向に螺旋状に上昇するように設ける掘削土砂圧密形オーガを使用して、掘削したゴミをコテ部で外側に押し出し孔壁に圧密して殆ど地上に排出せずに削孔し、この掘削土砂圧密形オーガを孔内に差し入れた状態で逆の回転をさせながら掘削したゴミをコテ部で孔壁に圧密させるゴミ処理方法において、
オーガロッドは上部はコテ部を設けないでスクリュー羽根だけを連続させて設けた連続スクリューロッドであり、この連続スクリューロッドの下に接続するロッドはコテ部をスクリュー羽根と並ぶように組合わせ、コテ部側面の湾曲押圧面はロッドの周面からスクリュー羽根の外縁位置まで外方に張り出すロッドであり、また、コテ部は外周部先端を分割体とし、これを本体に対してボルトやピンや溶接で交換可能に結合するもので、
所定深度まで掘削したならば、連続スクリューロッドをグランドレベルより必要長孔に差し入れながらこの掘削土砂圧密形オーガを孔内に差し入れたままの状態で前記削孔時とは逆の回転をさせながら、ベルトコンベアもしくはバックフォーの投入機で孔口からゴミもしくはゴミと土砂を投入し、これらを孔底へと落下させながらコテ部で孔壁に填圧することを特徴とするゴミ処理方法。
【請求項２】
ゴミの孔壁への圧密は掘削土砂圧密形オーガを上下動させながら行う請求項１記載のゴミ処理方法。
【発明の詳細な説明】
【技術分野】
【０００１】
本発明は、ゴミ処理方法に関するものである。
【背景技術】
【０００２】
地盤を掘削してもしくは自然の地形を利用して大きな地形を利用して大きな凹地を得てこの凹地内に産業廃棄物を堆積する産業廃棄物処分場は、大量のゴミを安価に処理するのに適するもので、いわば、巨大な空池を形成し、その底には汚染水の漏出防止のためのゴムシート等を敷設し、その中へ産業廃棄物や一般廃棄物、一般家庭より出されたゴミ等を投棄し、堆積させ、ロードローダーで填圧後、土砂を撒きだし、これも填圧して順次積層させていく。
【０００３】
しかし昨今、既設の廃棄物処分場はすでに満杯になりつつあり、新設するには社会的な問題も抱えており、場所の確保も困難である。特にゴミ等は上方から填圧を加えたとしてもゴミとゴミとの隙間を埋めることは不完全であり、フカフカの状態が残り、効率が悪いとともに地盤に沈下等の問題も生じる。
【０００４】
発明者は先にすでに満杯となりつつある廃棄物処分場をさらに有効利用することで、より多くのゴミを処理することができるゴミ処理方法として下記特許文献のものを提案し、特許を取得した。
【特許文献１】特許第３０６００４５号公報
【０００５】
これは図６〜図９に示すように、掘削土砂圧密形オーガ１８を使用するものであり、掘削土砂圧密形オーガ１８は通常のオーガと同じく、ロッド３とその先端のオーガヘッド１２とからなり、ロッド３は重機のリーダーマストのトップシーブから昇降自在に吊り下がる駆動装置２に結合して正逆回転自在に垂下するものである。
【０００６】
図６に示すように、ロッド３の外周に外方に張り出す湾曲押圧面４を側面とした厚肉フランジ状のコテ部５を掘削回転方向に螺旋状に上昇するように設ける。このコテ部５はオーガロッド３の外周からの左右両端の突出側面が必ず円弧状であることとした。
【０００７】
螺旋状に上昇するように設けるコテ部５は連続体として順次組み合わせ、上方にオーガロッド３の外周に向かい角度θで傾斜する上部傾斜面９を、また、下方にもロッド３の外周に向かい角度θで傾斜する下部傾斜面１０を設ける。
【０００８】
オーガヘッド１２にもスクリュー羽根１の裏側に垂直方向への湾曲押圧面４を有するコテ部５を設けた。図中１３は掘削ビットである。
【０００９】
図７に示すようにロッド３を正転させながら地盤に挿入していくと、先端のオーガヘッド１２の掘削ビット１３で切削された土砂（ゴミ）はロッド３の正転（右回転）にともなうコテ部５の旋回による揚上作用によって上方に移送されるが、この移送の際にコテ部５の湾曲押圧面４で外側に押し出され、孔壁１１に圧密される。なお、正転（右回転）の途中で逆転（左回転）を取り入れてもよい。
【００１０】
ロッド３を逆転させる場合にはこのコテ部５が土砂の下降作用を行うことになるが、その場合でも移送の際にコテ部５の湾曲押圧面４で外側に押し出され、かかる正転と逆転を適宜組み合わせることで孔壁１１への圧密を効果的に行い、地上への排土量を減じ、または無くすことができる。
【００１１】
このように掘削した土砂等をコテ部５で外側に押し出し孔壁１１に圧密して、掘削した体積分を殆ど地上に排土せずに孔１５を造成する。
【００１２】
図７に示すように所定深度まで掘削したならば、この掘削土砂圧密形オーガ１８を孔１５内に差し入れたままの状態で前記削孔時とは逆の回転をさせながら、孔口１５ａからゴミ１６（もしくはゴミ１６と土砂）を投入し、これらを孔底１５ｂへと落下させながらコテ部５で孔壁１１に圧密させる。ゴミ１６に土砂を混合して投入する場合は孔口１５ａを崩しながら行うこともある。
【００１３】
前記孔口１５ａから投入したゴミ１６（もしくはゴミ１６と土砂）で孔壁１１に圧密されない残りのものは孔底１５ｂに順次堆積するが、これに対してはオーガヘッド１２で填圧する。
【００１４】
徐々にゴミ１６（もしくはゴミ１６と土砂）を填圧かつ充填しながら掘削土砂圧密形オーガ１８を引き抜く。この引き抜く際は前記図８の状態と同じく逆転（左回転）を主とし、正転（右回転）を交えながら行う。
【発明の概要】
【発明が解決しようとする課題】
【００１５】
前記方法の中で、所定深度まで掘削したならば、この掘削土砂圧密形オーガ１８を孔１５内に差し入れたままの状態で前記削孔時とは逆の回転をさせながら、孔口１５ａからゴミ１６（もしくはゴミ１６と土砂）を投入し、これらを孔底１５ｂへと落下させながらコテ部５で孔壁１１に圧密させるが、この孔口１５ａから投入したゴミ１６（もしくはゴミ１６と土砂）を孔底１５ｂへと送り込むのが効率良く行えない場合があった。
【００１６】
その結果、コテ部５で孔壁１１に圧密させるのも不十分なものとなる。
【００１７】
本発明の目的は前記従来例の不都合を解消し、所定深度まで掘削後、掘削土砂圧密形オーガを孔内に差し入れたままの状態で前記削孔時とは逆の回転をさせながら、孔口からゴミを投入し、孔底方向へと確実に、かつ効率よく送り込むことができ、コテ部での孔壁への圧密も確実に行うことができるゴミ処理方法を提供することにある。
【課題を解決するための手段】
【００１８】
前記目的を達成するため本発明は、第１に、オーガロッドの外周に該ロッドから外方に張り出す湾曲押圧面を側面としたコテ部を掘削回転方向に螺旋状に上昇するように設ける掘削土砂圧密形オーガを使用して、掘削したゴミをコテ部で外側に押し出し孔壁に圧密して殆ど地上に排出せずに削孔し、この掘削土砂圧密形オーガを孔内に差し入れた状態で逆の回転をさせながら掘削したゴミをコテ部で孔壁に圧密させるゴミ処理方法において、
オーガロッドは上部はコテ部を設けないでスクリュー羽根だけを連続させて設けた連続スクリューロッドであり、この連続スクリューロッドの下に接続するロッドはコテ部をスクリュー羽根と並ぶように組合わせ、コテ部側面の湾曲押圧面はロッドの周面からスクリュー羽根の外縁位置まで外方に張り出すロッドであり、また、コテ部は外周部先端を分割体とし、これを本体に対してボルトやピンや溶接で交換可能に結合するもので、
所定深度まで掘削したならば、連続スクリューロッドをグランドレベルより必要長孔に差し入れながらこの掘削土砂圧密形オーガを孔内に差し入れたままの状態で前記削孔時とは逆の回転をさせながら、ベルトコンベアもしくはバックフォーの投入機で孔口からゴミもしくはゴミと土砂を投入し、これらを孔底へと落下させながらコテ部で孔壁に填圧すること、第２に、ゴミの孔壁への圧密は掘削土砂圧密形オーガを上下動させながら行うことを要旨とするものである。
【００１９】
請求項１記載の本発明によれば、オーガロッドは上部はコテ部を設けないでスクリュー羽根だけを連続させて設けた連続スクリューロッドであり、掘削後、この連続スクリューロッドを必要長孔内に差し入れながら逆転させ、同時に孔口からゴミを投入すると、投入されたゴミ（もしくはゴミと土砂）は逆転する連続スクリューロッドのスクリュー羽根で確実に下方へ送られ、コテ部で孔壁に圧密させることができる。
【００２０】
請求項２記載の本発明によれば、前記作用に加えて、掘削土砂圧密形オーガの上下動という動作を加えることで、ゴミの圧密または填圧を間断動作で、ゆっくりとしかも確実に行うことができる。
【発明の効果】
【００２１】
以上述べたように本発明のゴミ処理方法は、所定深度まで掘削後、掘削土砂圧密形オーガを孔内に差し入れたままの状態で前記削孔時とは逆の回転をさせながら、孔口からゴミを投入し、孔底方向へと確実に、かつ効率よく送り込むことができ、コテ部での孔壁への圧密も確実に行うことができるものである。
【発明を実施するための形態】
【００２２】
以下、図面について本発明の実施の形態を詳細に説明する。図１は本発明のゴミ処理方法の１実施例を示す正面図で、掘削土砂圧密形オーガ１８を使用する。
【００２３】
図中３は掘削土砂圧密形オーガ１８のロッドであるが、このロッド３は駆動装置２により正および逆転可能なものである。
【００２４】
ロッド３は通常のアースオーガ等と同じくピース物として継ぎ足し可能であり、オーガヘッド１２を下端に接続する第１ロッド３ａ、その上に接続する第２ロッド３ｂ、さらにその上に接続する第３ロッド３ｃの組合せである。なお、ピースの数はこれに限定されるものではない。
【００２５】
前記第３ロッド３ｃはスクリュー羽根１だけを連続させて設けた連続スクリューロッドであり、オーガヘッド１２を下端に接続する第１ロッド３ａ、その上に接続する第２ロッド３ｂはともにロッドの外周に外方に張り出す湾曲押圧面４を側面とした厚肉フランジ状のコテ部５を螺旋状に上昇するように設けたものである。このようにしてオーガロッド３は上部にはコテ部を設けないでスクリュー羽根１だけを連続させて設けた連続スクリューロッドである第３ロッド３ｃが位置し、その下に第２ロッド３ｂおよび第１ロッド３ａが接続する。
【００２６】
前記コテ部５はロッド３に設けるスクリュー羽根１と並ぶように組合わせ、側面の湾曲押圧面４はロッド３の周面からスクリュー羽根１の外縁位置まで外方に張り出す。
【００２７】
図示の例ではスクリュー羽根１が１ピッチ旋回したところでコテ部５を設けるようにしたが、１．５〜２．０ピッチの旋回をもってこのコテ部５を設けるようにしてもよい。
【００２８】
コテ部５はオーガロッド３の外周からの左右両端の突出側面が必ず円弧形状である。図示の例ではコテ部５は湾曲押圧面４が全体で円弧状になるように形成した。図中１１は孔壁である。なお、このコテ部５は中空のドラムタイプのものでよい。
【００２９】
さらに、コテ部５は外周部先端を分割体５ａとし、これを本体５ｂに対してボルト８やピンや溶接で交換可能に結合するものとする。
【００３０】
次にかかる掘削土砂圧密形オーガ１８を使用した本発明のゴミ処理方法を説明する。
【００３１】
例えば、通常の地盤に行う他にこれをすでに満杯となりつつある廃棄物処分場で施工する場合では、ロッド３を正転させながら地盤に挿入していくと、先端のオーガヘッド１２の掘削ビット１３で切削されたゴミ１６はロッド３の正転（右回転）にともなうコテ部５の旋回による揚上作用によって上方に移送されるが、この移送の際にコテ部５の湾曲押圧面４で外側に押し出され、孔壁１１に圧密される。なお、正転（右回転）の途中で逆転（左回転）を取り入れてもよい。
【００３２】
このように掘削した土砂等をコテ部５で外側に押し出し孔壁１１に圧密して、掘削した体積分を殆ど地上に排土せずに孔１５を造成する。
【００３３】
所定深度まで掘削したならば、この掘削土砂圧密形オーガ１８を孔１５内に必要長差し入れたままの状態で前記削孔時とは逆の回転をさせながら、ベルトコンベアもしくはバックフォーの投入機１７でゴミ１６（もしくはゴミ１６と土砂）を孔口１５ａからゴミ１６（もしくはゴミ１６と土砂）を投入する。
【００３４】
この場合、連続スクリューロッドである第３ロッド３ｃをグランドレベル（ＧＬ）より必要長（α：〜数メートル）孔１５内に差し入れながら逆転させる。
【００３５】
ゴミ１６（一般ゴミ、産業廃棄物、焼却灰等）（もしくはゴミ１６と土砂）は、第３ロッド３ｃの連続スクリュー羽根１で確実に下方へ送りこまれ、第２ロッド３ｂ、第１ロッド３ａ、オーガヘッド１２に至り、コテ部５で孔壁１１に填圧される。
【００３６】
この時、ロッド３は上下動するようにしてもよい。また、逆転の途中で適宜正転を交えるようにしてもよい。ゴミ１６に土砂を混合して投入する場合は孔口１５ａを崩しながら行うこともある。
【００３７】
前記孔口１５ａから投入したゴミ１６（もしくはゴミ１６と土砂）で孔壁１１に圧密されない残りのものは孔底１５ｂに順次堆積するが、これに対してはオーガヘッド１２で填圧する。
【００３８】
かかるオーガヘッド１２での填圧は通常のオーガヘッドを使用する場合であれば逆転する際のスクリュー羽根１の裏側で行うことも可能であるが、特にスクリュー羽根１の裏側にコテ部５を設けている場合にはこのコテ部５の圧密作用で更に効果的に行うことができる。
【００３９】
徐々にゴミ１６（もしくはゴミ１６と土砂）を填圧かつ充填しながら掘削土砂圧密形オーガ１を引き抜く。この引き抜く際は同じく逆転（左回転）を主とし、正転（右回転）を交えながら行う。
【００４０】
さらに、かかる填圧状況は掘削土砂圧密形オーガ１８の負荷及び自重推力で確認しながら行うことができる。
【００４１】
このように、ロッド３を逆転させる場合にはこのコテ部５が土砂の下降作用を行うことになるが、その場合でも移送の際にコテ部５の湾曲押圧面４で外側に押し出され、前記正転と逆転を適宜組み合わせることで孔壁１１への圧密を効果的に行い、地上への排土量を減じ、または無くすことができ、掘削した土砂等をコテ部５で外側に押し出し孔壁１１に圧密して、掘削した体積分を殆ど地上に排土せずに孔１５を造成する。
【図面の簡単な説明】
【００４２】
【図１】図１は本発明のゴミ処理方法の１実施例を示す正面図である。
【図２】本発明で使用する掘削土砂圧密形オーガのロッドの側面図である。
【図３】本発明の掘削土砂圧密形オーガのオーガヘッドの正面図である。
【図４】本発明の掘削土砂圧密形オーガのオーガヘッドの底面図である。
【図５】本発明の掘削土砂圧密形オーガの要部を示す平面図である。
【図６】従来例の第１工程を示す正面図である。
【図７】従来例の第２工程を示す正面図である。
【図８】従来例の第３工程を示す正面図である。
【図９】従来例の第４工程を示す正面図である。
【符号の説明】
【００４３】
１…スクリュー羽根
２…駆動装置
３…ロッド
３ａ…第１ロッド
３ｂ…第２ロッド
３ｃ…第３ロッド
４…湾曲押圧面
５…コテ部
５ａ…分割体
５ｂ…本体
６…平面
７…空隙部
８…ボルト
９…上部傾斜面
１０…下部傾斜面
１１…孔壁
１２…オーガヘッド
１３…掘削ビット
１５…孔
１５ａ…孔口
１５ｂ…孔底
１６…ゴミ
１７…投入機
１８…掘削土砂圧密形オーガ
【図１】
0005985537.tif 000002
【図２】
0005985537.tif 000003
【図３】
0005985537.tif 000004
【図４】
0005985537.tif 000005
【図５】
0005985537.tif 000006
【図６】
0005985537.tif 000007
【図７】
0005985537.tif 000008
【図８】
0005985537.tif 000009
【図９】
0005985537.tif 000010